(57)【要約】【課題】光学的に認識した文字をデジタル処理してプレートに焼き付けることで、鮮明な文字の再現を可能にする。【解決手段】本を解いてばらばらにしたものや印画紙出力した版下及びプリントアウトした版下などを原稿として、ページ順に一枚ずつ光学式文字読み取り装置１により読み取ってデジタルデータに変換する読み取り工程と、光学式文字読み取り装置１で得た画像データをソースとするポストスクリプトデータをメモリ３に記録するデータ記憶工程と、ポストスクリプトデータの各ページが製本の折り単位にページ順になるように面付け処理する面付け処理工程と、面付け処理したポストスクリプトデータをプレートに焼き付ける刷版工程とを実施する。【選択図】　　　図１
2004037481.tif 000002
【特許請求の範囲】
【請求項１】
本を解いてばらばらにしたものや出力した印画紙及びプリンター出力したいわゆるアナログ的な版下などを原稿として、ページ順に一枚ずつ文字読み取り装置により読み取ってデジタルデータに変換する読み取り工程と、前記文字読み取り装置で得た画像データをソースとするポストスクリプトデータをメモリに記録するデータ記憶工程と、
前記ポストスクリプトデータの各ページが本の折り単位にページ順になるように面付け処理する面付け処理工程と、
前記面付け処理したポストスクリプトデータをプレートに焼き付ける刷版工程とを具備することを特徴とするＯＴＰ方式によるダイレクト印刷方法。
【発明の詳細な説明】
【０００１】
【発明の属する技術分野】
本発明は、既刊本などを復刻して再発刊する場合や、新刊の印刷物において、製本工程に至る段階で実施されるＯＴＰ方式によるダイレクト印刷方法に関する。
【０００２】
【従来の技術】
従来から、既刊本、例えば３０年から４０年前に発刊された本を再び復刻して再発刊する場合には、次のような製版および印刷の方法が実施されている。まず原稿となる本をばらばらに解き、これらを一枚ずつ製版カメラで撮影したり、スキャナで画像として読み取って、これからネガフィルムをつくる。次に、このネガフィルムと台紙用の透明ベースフィルムとを合わせて指定の位置にセットし、その透明フィルムに反転画像を載せてポジフィルとする。続いて校正を行って、校了となった段階で、印刷のための版に焼き付けを行い、これを印刷プレートとして用いて印刷を行っている。
【０００３】
これに対し、フィルムの要らない特殊カメラを用いて、これに本をばらばらにしたものを一枚ずつセットして撮影し、印刷用に作られた版材にその本の撮影情報を直接焼き付ける製版方法が提供されている。この製版方法では、前記版材がシルバーマスターと呼ばれ、ポジからポジの状態に焼き付けを行う。このとき面付け位置に本をばらばらにした原稿が焼き付けられるように、版材全体を前後左右に移動し、そこで露光を行うことにより印刷画像が作られる。
【０００４】
また、本をばらばらにした原稿をスキャナで読み取り、読み取ったデジタル画像を電荷を利用してトナー画像に変えてシリンダ上に形成し、このシリンダ上のトナー画像を紙に転写する方法なども提案されている。
【０００５】
【発明が解決しようとする課題】
しかしながら、ネガフィルムやポジフィルムを使用して製版する前記方法では製版作業が非能率的でコストアップが避けられず、また、フィルムの廃棄処分による自然破壊を招くという不都合があった。また、前記のようなコンピュータツープレイト（ＣＴＰ）による製版システムでは、特殊カメラを用いるため、製版コストが高くなるという不都合がある。さらに、シリンダ上のトナー画像を紙に転写するという方法にあっては、出力印刷のサイズに応じたシリンダを用意する必要があるため、そのサイズが大きいもの（例えばＡ１）では、システムが大掛かりになるとともに、コストアップが避けられないという不都合があった。
【０００６】
本発明は前記のような従来の問題を解決するものであり、その目的とするところは、光学的に認識した文字をデジタル処理してプレートに焼き付けることで、コンピュータツープレート製版のサイズを思いのままにしながら、鮮明な文字の再現を可能にし、さらに自然環境の悪化を招かず、製作コストおよび製作時間を大幅に削減できる製版方法を得ることにある。
【０００７】
【課題を解決するための手段】
前記目的達成のために、請求項１の発明にかかるＯＴＰ方式によるダイレクト印刷方法は、本を解いてばらばらにしたものや出力した印画紙，及びプリンター出力したいわゆるアナログ的な版下などを原稿として、ページ順に一枚ずつ文字読み取り装置により読み取ってデジタルトデータに変換する読み取り工程と、前記文字読み取り装置で得た画像データをソースとするポストスクリプトデータをメモリに記録するデータ記憶工程と、前記ポストスクリプトデータの各ページが製本の折り単位にページ順になるように面付け処理する面付け処理工程と、前記面付け処理したポストスクリプトデータをプレートに焼き付ける刷版工程とを含むことを特徴とする。
【０００８】
これにより、光学式文字読み取り装置が本の各ページの文字を図形として認識して読み取るため、認識された文字（図形）は次段でのデジタル処理によって簡単に鮮明な画像にデータ変換できる。また、文字読み取りしたデータの各ページは所定の面付けプログラムによるデジタル処理によって面付けが迅速かつ正確に行われ、続く焼き付けの刷版工程を速やかに実行可能にする。
【０００９】
【発明の実施の形態】
以下に、本発明の実施の形態を図について説明する。図１は本発明の製版方法を実施する製版システムの一例を示す。同図において、１は本をばらばらに解いたものなどを原稿として一枚ずつ読み取る光学式文字読み取り装置（以下、スキャナーという）、２はこのスキャナー１で読み取ったテキストデータをソースとするポストスクリリプト（ＰＳ）データをメモリ３に格納したり、メモリ３からのポストスクリプトデータを読み出すパソコンである。
【００１０】
また、このパソコン２には、前記の読み込んだテキストデータ等をディスプレイに表示しながら編集を加えたり、新たに画像を作成して、印刷対象の画像に編集したりするアプリケーションがインストールされている。このパソコン２は露光対象のポストスクリプト版の版種、版原、版サイズなどの各種設定情報や国際標準規格のフォーマットデータを出力する。
【００１１】
前記パソコン２にはラスタイメージプロセッサ（ＲＩＰ）、プレートセッター５のドライバソフトがインストールされている。ラスタイメージプロセッサはベクトル形式の画像データを解析してラスタ形式の画像データに変換するアプリケーションであり、ドライバソフトはその画像データをプレートセッター５で解析できるイメージフォーマットに変換する。また、プレートセッター５ではイメージフォーマット形式のファイル（ＴＩＦＦファイル）や各種設定情報などに基づいて、レーザー光源のオン・オフ駆動、光量調整などの制御信号を生成して、ポストスクリプト版の露光処理を行い、製版を行う。
【００１２】
次に、本発明による製版方法を図２のフローチャートを参照して説明する。まず既刊本を復刻して発刊しようとする本を解いて、一枚ずつばらばらの原稿にする。この作業は人為的に行っても、自動化分解システムによって自動的に実施してもよい。続いて、このようにばらばらにした原稿を、ごみなどを取り除いてノド断裁などの整備を行い、一枚ずつページ順にスキャナー１に読み込ませる。このスキャナー１は文字を光学的に画像データとして読み込むとともに、この画像データをデジタルデータとしてデータ変換して出力する（読み取り工程）。
【００１３】
また、この画像データはパソコン２に取込まれ、これをソースとしてポストスクリプトデータに変換されて、ディスプレイ表示されるとともに、編集用アプリケーションを用いて必要とする編集を加えて光磁気（ＭＯ）ディスクなどのメモリ３に格納される（データ記憶工程）。また、パソコン２は製版のための各種の設定情報やフォーマットデータを出力する。次に、ワークステーション４では前記のようなメモリ３に記録したポストスクリプトデータを読み出し、製本の折り単位に各ページがページ順となるように面付け処理を行う（面処理工程）。
【００１４】
次に、このようにして面付け処理されたデータは、ワークステーション４において、ラスタイメージプロセッサによりＴＩＦＦファイルなどのラスタ形式の文字データに変換され、所定のイメージフォーマットに変換してプレートセッター５へ出力する。このプレートセッター５では各種プログラムに従ってＴＩＦＦファイルや各種設定情報にもとづいて、レーザ光源のオン・オフ駆動信号や光量調整のためのレーザ駆動信号などの制御信号を生成する。これにより、パソコン２上で選択された文字データに応じて最適条件で焼き付けのための露光処理を行う（焼き付け工程）。従って、プレートに対する製版が実行され、この印刷プレートを用いて速やかに印刷にかかることができる。
【００１５】
なお、この発明の原稿として１ページがＢ５から文庫本のようなサイズの小さい（原則として原寸指定のもの）本を製版でき、網や写真、図表の入ったものも１３３線前後まで製版可能である。そして、この製版方法の実施には、ネガフィルムやポジフィルムを使わないため、これらの廃棄処分による地球環境の悪化を未然に回避できるほか、コンピュータの制御下で直接プレート（刷版）を出力することからコストを大幅に低減でき、製版までの時間をフィルムを用いる従来方式に比べて１／３程度に短縮できるという利点が得られる。従って、この製版技術は、本の復刻依頼を受けた場合や小部数新刊の印刷の場合に適用して極めて有効である。
【００１６】
【発明の効果】
以上のように、本発明によれば原稿としての本を解いてばらばらの原稿にし、ページ順に一枚ずつ光学式文字読み取り装置により読み取り読み取ったテキストデータをソースとしてポストスクリプトデータをメモリに記録し、そのポストスクリプトデータの各ページが製本の折り単位にページ順になるように面付け処理し、面付け処理したポストスクリプトデータをプレートに焼き付けるようにしたので、光学式文字読み取り装置が本の各ページの文字をテキストデータとして認識して読み取るため、認識された文字は次段でのデジタル処理によって鮮明な文字に簡単に変換できる。また、文字読み取りしたデータの各ページは所定の面付けプログラムによるデジタル処理によって面付けが迅速、正確に行われ、続く焼き付けの刷版工程を速やかに実行できるという効果が得られる。
【００１７】
また、この発明のダイレクト印刷方法では、ネガフィルムやポジフィルムを使わないために、これらの廃棄処分による地球環境の悪化を回避でき、ワークステーションなどのコンピュータの制御下で直接プレート（刷版）を出力することからコストを大幅に低減でき、製版までの時間をフィルムを用いた従来方式に比べて大幅に短縮できるという利点が得られる。
【図面の簡単な説明】
【図１】本発明の実施の形態によるＯＴＰ方式によるダイレクト印刷方法を実施のための製版システムを概念的に示すブロック図である。
【図２】本発明の実施の形態によるＯＴＰ方式によるダイレクト印刷方法の製版手順を示すフローチャートである。
【符号の説明】
１　光学式文字読み取り装置（スキャナー）
３　メモリ
【図１】
2004037481.tif 000003
【図２】
2004037481.tif 000004